(57)【要約】      （修正有）【課題】特に、更なる取り付けを伴なわずに従来の処理装置上で機能し、１成分調製物の保恒性の欠点をもたず、そして処理のより良い再現性をもたらす、写真処理化学薬品のパッケージを提供すること。【解決手段】写真処理化学薬品を貯蔵するためおよび処理化学薬品を処理装置のタンクに充填するための、室中に空間的に分離された少なくとも２種の異なる化学薬品を含有するパッケージであって、化学薬品が同一の処理段階に属し、そしてパッケージが、タンクに化学薬品が充填されている間に相互に接触するように構成されることを特徴とするパッケージは、それがその欠点を伴なわずに１成分濃厚物の操作の利点を提供し、既知の多成分調製物に比較して、処理のより良い再現性をもたらす。【選択図】図２
2005206249.tif 000002
【特許請求の範囲】
【請求項１】
写真処理化学薬品を貯蔵するためおよび処理化学薬品を処理装置のタンクに充填するための、室内に空間的に分離された少なくとも２種の異なる化学薬品を含むパッケージであって、化学薬品が同一の処理段階に属し、パッケージが、タンクに化学薬品が充填される前に該異なる化学薬品がパッケージ内で相互に接触しそして／またはタンクに化学薬品が充填される間に相互に接触するように構成されていることを特徴とするパッケージ。
【請求項２】
タンクに化学薬品が充填される間に、該異なる化学薬品がパッケージ内で相互に接触することを特徴とする請求項１に記載のパッケージ。
【請求項３】
タンクに該異なる化学薬品が充填される間に、該異なる化学薬品が取り出し（ｒｅｍｏｖａｌ）開口部で直接接触することを特徴とする請求項１に記載のパッケージ。
【請求項４】
少なくとも２つの室が共通の閉鎖可能な取り出し開口部を有することを特徴とする請求項１〜３のいずれか１項に記載のパッケージ。
【請求項５】
すべての室が共通の閉鎖可能な取り出し開口部を有することを特徴とする請求項４に記載のパッケージ。
【請求項６】
少なくとも２つの室がアダプターにより取り出し開口部に接続されている別の開口部を有することを特徴とする請求項１〜４のいずれか１項に記載のパッケージ。
【請求項７】
パッケージがすべての室を閉鎖する唯一の蓋を有することを特徴とする請求項１〜６のいずれか１項に記載のパッケージ。
【請求項８】
蓋がネジ付き蓋であることを特徴とする請求項７に記載のパッケージ。
【請求項９】
少なくとも１個の取り出し開口部がフィルムで密閉されるまたはシール用リングで密封されることを特徴とする請求項１〜８いずれか１項に記載のパッケージ。
【請求項１０】
プラスチック製であることを特徴とする請求項１〜９のいずれか１項に記載のパッケージ。
【請求項１１】
２成分または多成分漂白−定着浴濃厚物のための化学薬品を含むことを特徴とする請求項１〜１０のいずれか１項に記載のパッケージ。
【請求項１２】
別々な室内に漂白剤および定着剤を含むことを特徴とする請求項１１記載のパッケージ。
【請求項１３】
漂白剤として、錯生成剤、エチレンジアミン四酢酸（ＥＤＴＡ）、プロピレンジアミン四酢酸（ＰＤＴＡ）、β−アラニン二酢酸（ＡＤＡ）、ジエチレントリアミン五酢酸（ＤＴＰＡ）、メチルイミノ二酢酸（ＭＩＤＡ）、エチレンジアミンモノスクシネート（ＥＤＭＳ）、メチルグリシン二酢酸（ＭＧＤＡ）、エチレンジアミンジスクシネート（ＥＤＤＳ）、イミノコハク酸、イミノコハク酸−プロピオン酸または２−ヒドロキシプロピルイミノ二酢酸の１種と鉄錯体の少なくとも１種を含んで成ることを特徴とする請求項１１または１２に記載のパッケージ。
【請求項１４】
定着剤としてチオ硫酸アンモニウムを含むことを特徴とする請求項１１〜１３のいずれか１項に記載のパッケージ。
【請求項１５】
漂白剤を含む室内および／または定着剤を含む室内に緩衝物質を含むことを特徴とする請求項１１〜１４のいずれか１項に記載のパッケージ。
【請求項１６】
請求項１〜１５のいずれか１項に記載のパッケージを処理化学薬品を補給するために使用することを特徴とする写真材料の処理方法。
【請求項１７】
パッケージの室をプラスチックの押し出しブロー成形法により一体に製造し、次に室に種々な化学薬品を充填し、続いてパッケージを閉鎖することを特徴とする請求項１〜１５のいずれか１項に記載のパッケージの製造法。
【請求項１８】
写真処理装置の処理タンクまたは補給剤タンクを補給するための請求項１〜１５のいずれか１項に記載のパッケージの使用。
【発明の詳細な説明】
【技術分野】
【０００１】
本発明は写真処理化学薬品を貯蔵するためおよび処理用化学薬品で処理装置のタンクを充填するための、室内に空間的に分離された少なくとも２種の異なる化学薬品を含むパッケージ、特に、２成分または多成分の漂白−定着浴濃厚物のためのパッケージに関する。本発明は、また、このようなパッケージがその中で使用される写真材料の処理法、このようなパッケージの製造法およびこのようなパッケージの使用に関する。
【背景技術】
【０００２】
本発明に関して、写真処理化学薬品は記録材料、特にハロゲン化銀を含む記録材料を処理するために使用することができる化学物質またはこのような物質の調製物を意味するものと理解される。以下において、記録材料は、また、写真材料とも呼ばれ、化学線、すなわち例えば、光またはＵＶ、ＩＲまたはＸ線光線に露出することができ、化学処理後に視覚的または機械的に検出または読み取ることができる記録を与えるすべての物質を含む。
【０００３】
写真材料の処理のためには、例えば現像浴、漂白浴、定着浴、漂白−定着浴または保恒浴のような使用される浴を最初にタンク溶液として調製する。しかし、これらは処理中に材料の処理量に応じて化学反応によりそして運び入れ、運び出される材料により消費される。これを補うために種々な方法が使用される。すべてが、追加の処理化学薬品を工程に供給しなければならないという同一の特徴を有する。通常、第１タンクの調製のためそして補給のための双方のために、前以て調製された調製物、しばしば濃厚溶液が使用される。
【０００４】
補給のための前以て調製された調製物は通常、濃厚物として供給され、補給剤（ｒｅｐｌｅｎｉｓｈｅｒ）または詰め替え濃厚物と呼ばれる。概括的に、それらは処理タンクに直接には添加されず、処理装置のレザボアタンクに添加され、そこで、所望の濃度に水で希釈される。これらのレザボアタンクはまた補給タンクとも呼ばれ、その中の溶液は補給溶液または単純に単に補給剤と呼ばれる。
【０００５】
装置により固定されそして前以て決定されているかまたは手動で変動性のいずれかの補給速度（処理される材料１ｍ２当りの溶液のｍｌ）を伴なって適当な処理タンク中に補給溶液を計量添加することにより、処理溶液は常に、種類に従う活性（ａｃｔｉｖｉｔｙ）に維持され、原則的に中断せずに連続的に使用することができる。
【０００６】
特許文献１はカートン中の自動的写真処理装置のための化学薬品の補給ボトルを含んで成るパッケージを開示している。このようなパッケージは誤りなく装置への早急な結合を確保するが、これはこの目的のために備えられた具体的な処理装置によってのみ可能である。このようなパッケージは１個のみならずまた、すべての補給タンクのための補給化学薬品を含んで成り、溶液を除去する時に、具体的なタンク中に直接ホースにより誘動され、従ってタンク中で初めて相互に接触する。
【０００７】
更に、１成分溶液または濃厚物として、または化学薬品間の反応を回避するために多成分溶液または濃厚物として写真処理補給溶液を提供することが知られている。
【０００８】
従って１成分および多成分濃厚物の双方は例えば漂白−定着浴の補給溶液としての使用のために市販されている。漂白−定着浴は主として、カラー現像中に形成される銀を酸化（漂白）するために、例えばＡｇｆａタイプ１１のような写真のカラーハロゲン化銀印画紙を処理するために使用される。
【０００９】
特許文献２および３は１成分の漂白−定着浴濃厚物を開示している。しかし、これらは、例えば鉄（ＩＩＩ）−エチレンジアミン四酢酸（鉄（ＩＩＩ）−ＥＤＴＡ）のような酸化剤および例えば亜硫酸塩のような還元剤が１種の同一濃厚物中に含まれ、従って相互に化学反応するという欠点を有する。この反応中に、亜硫酸塩は硫酸塩に酸化され、鉄（ＩＩＩ）−ＥＤＴＡは鉄（ＩＩ）−ＥＤＴＡに還元される。長い貯蔵期間または長い運送時間中に、この化学反応が実質的に終結まで進行し、そのため、大部分の亜硫酸塩が硫酸塩に転化され、ごく少量の亜硫酸塩のみが補給溶液の調製時にいまだ存在する。それにより濃厚物およびそれらから調製される補給剤の貯蔵寿命は著しく短縮される。もう１つの欠点は比較的長い貯蔵時間中に鉄（ＩＩＩ）−ＥＤＴＡもまた、他の過程により鉄（ＩＩ）−ＥＤＴＡに還元される。従って濃厚物からの補給剤の調製後には、漂白に要するごく少量の鉄のみが鉄（ＩＩＩ）−ＥＤＴＡとして存在し、その結果、タンクの溶液が新規に調製される時、または紙の処理量が高い場合に、漂白の問題が発生する。１成分の漂白−定着浴を使用するもう１つの欠点は、硫酸塩および鉄（ＩＩ）−ＥＤＴＡを与えるための亜硫酸塩および鉄（ＩＩＩ）−ＥＤＴＡの反応により濃厚物中の溶解度が著しく損なわれる事実である。従ってアンモニウム−鉄（ＩＩ）−ＥＤＴＡの結晶の重い沈殿物が発生する可能性があり、それはもはや溶解することができず、濃厚物が使用不能になり、もはや使用することができないことを意味する。１成分の漂白−定着浴に対して述べられた欠点のために、これらはこれまで市場で支持を見いだすことができなかった。
【００１０】
従って、１成分濃厚物による前記の問題を回避するために、別個の容器内に充填された異なる組成の２−または３成分調製物が補給のためにしばしば使用される。従って、例えば市販の漂白−定着浴の補給溶液は２〜３種の濃厚物を含んで成り、そこで一方の濃厚物は漂白剤を含み、第２の濃厚物は定着剤を含む。第３の濃厚物はｐＨの調整のための酸を含むことができるが、酸はまた、漂白剤または定着剤のための濃厚物成分の１つに含むことができるので、この場合には、２種の濃厚物成分が必要であるだけである。
【００１１】
既知の多成分補給濃厚物が使用される場合には、それらの高い貯蔵寿命にもかかわらず、補給溶液が同一生産バッチから由来する場合ですら、これらにより調製される処理浴の作用が調製物から調製物に変動することができる事実に現れる再現性に問題がまだ存在する。それにより処理された写真材料の質が損なわれるこの望ましくない効果は更に、処理装置により、そして操作職員により広範な度合いに変動し、完全に使用不能な処理結果をもたらすことすらでき、その結果として、オリジナルの場合には、記録が修復不可能に喪失される。
【００１２】
写真処理化学薬品の周知のパッケージは前記の理由により不満足である。
【特許文献１】独逸特許第１９９  ６４  ３００号明細書
【特許文献２】欧州特許第１  ２０９  ５２０号明細書
【特許文献３】米国特許第６  ２２１  ５７０号明細書
【発明の開示】
【発明が解決しようとする課題】
【００１３】
従って、本発明は、既知の態様に言及された欠点を回避し、特に、更なる取り付けを伴なわずに従来の処理装置上で機能し、１成分調製物の保恒性の欠点をもたず、そして処理のより良い再現性をもたらす、写真処理化学薬品のパッケージを提供する目的に基づくものである。
【課題を解決するための手段】
【００１４】
驚くべきことに、これは、除去の前そして／またはその間ならびにタンクに到達する前に相互に接触する写真処理化学薬品を含む多室パッケージにより達成されることが見いだされた。従来の容器よりもそれらの製造に関してより複雑である、本発明に従う多室パッケージに対してすら、予想される更なる価格は、本発明の利点により、補われて余りある。
【００１５】
従って、本発明は、写真処理化学薬品を貯蔵するためおよび処理化学薬品を処理装置のタンクに充填するための、室内に空間的に分離された少なくとも２種の異なる化学薬品を含むパッケージであって、化学薬品が同一の処理段階に属し、タンクが化学薬品で充填される前に該異なる化学薬品がパッケージ内で相互に接触しそして／またはタンクが化学薬品で充填されている間（除去期間中）に相互に接触するようにパッケージが構成されていることを特徴とするパッケージを提供する。
【００１６】
種々な化学薬品は、好ましくは、１成分調製物につき前述された既知の問題を信頼性をもって回避するために、除去期間中に相互に接触させられる。これに関して、接触はパッケージの内部および／または外部で起り得る。接触は、好ましくは、パッケージの取り出し開口部において直接起る。
【００１７】
以下において、本発明に従うパッケージはまた、多室パッケージ、そして好ましい態様においてはまた多室ボトルとも呼ばれ、運搬中および消費者による通常の使用中の、室に関する単位として維持される固定単位と理解することができる。それは更に、既知の材料を充填することができる。多室パッケージは蓋を提供された少なくとも１個の取り出し開口部を有する。除去のためには蓋を開放しなければならず、ここで開放状態の蓋は、例えばヒンジ付き蓋による場合におけるように多室パッケージに連結され続けるか、または例えばネジ付き蓋による場合のようにパッケージから分離されることが可能である。蓋またはその一部はまた、開放のために貫通されることができ、種々なタイプの蓋は相互に組み合わせることもできる。多室パッケージの内容物は、従来、全体として除去されるので、最初の開放後に閉鎖可能である必要はない。しかし、廃棄時に化学薬品の残留物の排出を防止するために再閉鎖の可能性が適切であるかも知れない。
【００１８】
本発明の範囲内の写真処理化学薬品は多室パッケージに応じて処理段階に必要な補給用化学薬品であり、ここで補給用化学薬品は処理タンク溶液の新規の調製のための化学薬品および、補給タンク溶液の調製のための化学薬品双方を意味するものと理解される。これらは純粋な化学化合物自体または適当な調製物であることができるが、化学薬品の濃厚調製物（濃厚物）が通常である。本発明は、少なくとも２種の異なる補給化学薬品を別の調製物中に使用することができるあらゆる写真処理法のあらゆる処理段階に適する。
【００１９】
処理の結果のより良い再現性は多室パッケージの種々な化学薬品が除去前そして／または除去中そしてタンクに到達前に相互に接触する場合に達成することができることだけであるが見いだされた。これはとりわけ濃厚物を使用して補給タンク溶液を詰め替える時の例である。
【００２０】
正確な機序は未知であるが、プレミックス中のこの接触が処理装置中の化学薬品の分布の不均一性を防止する効果を有すると推定される。従って、例えばミニラボで既知の多成分濃厚物が使用される時に、補給溶液は通常、補給タンク中で直接調製される。調製のために、最初にタンク中に水を導入し、次にこれに必要な濃厚物を添加する。通例のように濃厚物を個別に連続して添加する場合には、補給タンク中に濃厚物の層形成が起る可能性があり、それは集中的な完全な混合によってのみ回避することができる。しかし、多数のミニラボにおいては、経費および空間の理由で完全な混合のために一種のパドルのみが提供され、その結果、集中的な完全な混合は非常に長時間を要する。本発明に関する限り、長い混合時間が指定されていても、時間を節約するためにこれらはしばしば、職員により忠実に従われず、更に調製後に補給溶液が全く完全に混合されないことが起ることが認められた。不適切に不完全に混合された補給溶液が使用されると、異なる濃度および異なる組成の化学薬品が処理経過中に処理溶液中に計量添加され、それが処理の不十分な再現性、および従って処理された材料の多様な質を説明する。驚くべきことには、この欠点は多室パッケージにより抑制することができる。この方法で必要な混合時間を著しく減少させることができ、特に本発明に従う適切なパッケージを使用すると、その後の混合は全くなしで済ますことすらできるることが見いだされた。
【００２１】
本発明に関して、既知の多成分濃厚物が使用される時に、１濃厚物成分が完全に忘却されたりまたは、例えば成分Ａおよび成分Ｂの代わりに２成分のＡが使用されることによっても、不満足で非再現性の処理結果が得られることが見いだされた。双方の場合に、処理溶液は使用不能になり、これにより処理された写真材料はしばしば永久に喪失される。更に、種々な生産時間からの濃厚物が調製中に相互と混合される、例えば成分Ａの新バッチと成分Ｂの旧バッチが混合されることが起るかも知れない。処理化学薬品のどの生産者も処理中のそれらの作用および二次的作用に関して異なる年代の濃厚物のすべての可能な組み合わせ物を試験することはできないので、これは使用の準備ができた溶液中の保恒性喪失およびｐＨの偏りをもたらす可能性があり、不確定な状態をもたらす。更に、１バッチの成分はこの方法で再度、使用されないままで維持される可能性があり、その結果著しく老化する。古いバッチの貯蔵寿命がすでに期限切れである場合は損傷は特に高い、すなわちこれはすでに使用不能であり、これおよび新規のバッチから調製された混合物は使用不能になる。まさに近年、しばしば半熟練のみである操作職員の仕事量が益々増加し、それが操作の複雑さと合わさって、非自動化補給調製物の場合に弁償の請求が増加して起る理由を説明し、操作信頼性を増加することがいかに重要であるかを具体的に示す。本発明に従うと、個別の濃厚物が１パッケージ中に組み合わされているので、それらの間を誤認することは不可能であり、このような多室パッケージの濃厚物はすべて同一生産時間を有し、同一貯蔵条件を経験した。更に、一定の添加順序または添加の一定の時間のスケジュールに従わないことは起らず、そして例えば部分Ａおよび部分Ｂの添加の間に長時間の経過があり、同時に、処理タンクが部分Ａにより補給されるのみであるようなことは起ることができない。
【００２２】
同時に、注文および倉庫管理が簡単になり、数本のボトルを伴なう従来の多成分濃厚物に比較して、操作が著しくより合理的である。
【００２３】
本発明に関する接触は化学薬品または化学調製物が処理装置のタンクまたは例えば処理皿に到達する前の化学薬品または化学調製物のあらゆる接触と理解することができる。
【００２４】
除去の前の接触は従来、パッケージの使用の直前に確立され、操作または機械的操作を要する。この変法において、接触の時点は、１成分調製物に対して知られる欠点がまだ起らないように除去の直前に選択しなければならない。これは、接触時間中は沈殿物が起らず、写真処理のための処理化学薬品の活性および貯蔵寿命が実質的に減少されない事実により認めることができる。本発明のこの態様において、パッケージの内容物は好ましくは例えば接触後および除去前の震盪により混合される。
【００２５】
接触は例えば化学薬品の２本の流れがそこで合流する場合に除去中に、パッケージの外側に流出する時に起ることができ、それはパッケージの一部であるかまたはパッケージに備わっている下記でアダプターとも呼ばれる混合装置中で除去の前そして／またはその間に起ることができ、そしてそれは、例えば室の間の分離装置が除去されまたは貫通される除去の前にパッケージ中で起ることができる。例として挙げられる本発明の可能な態様はまた、例えば２室からの化学薬品が除去前に接触し、この混合物が除去中に第３室からの化学薬品と接触するようにパッケージが構成される場合に、相互と組み合わせることができる。
【００２６】
処理化学薬品を含まない多室パッケージはまた、それが蓋を含んで成っても含まなくても無関係に、以下で多室容器と呼ばれる。
【００２７】
２室ボトルである、多室容器の好ましい態様は、図１および２に示される。図１において、２室ボトルは正面図で示され、ボトルの基底部に平面平行な領域（２）で終結するネジを伴なうボトルの首（１）を有する。ボトルは相互から分離されている室（４）および（５）を有する。図２に従う上面図において、前記の特徴物に加えて、上部の閉鎖領域をもつ連結橋（３）を見ることができ、それがその下端で室を結合し、縁（２）まで連続的に相互からそれらを分離する。従って、領域（２）および（３）を閉鎖状態に密閉する蓋により、室（４）および（５）の内容物が除去前には相互と接触しないことを確保することができる。
【００２８】
前記の２室ボトルおよび具体的な処理化学薬品の２室パッケージを使用すると、極めて驚くべきことには、処理結果の再現性は、空にする間にボトルをいかに保持するかにすら左右される可能性があることを見いだした。本発明の利点はボトルがいかに保持されるかにかかわらず達成されるが、排出中、連結橋の長い縁および従って更にその上部閉鎖面（３）が水平に走行し、その結果、室（４）および（５）が並んで配列されず、上下に配列されるようにボトルが保持される場合に、再現性は概してより良好である。
【００２９】
多室容器は好ましくは、取り出し開口部（以下で注出開口部、放出開口部、注ぎ口または放出口とも呼ばれる）の可能な限り直後に良好な完全な混合が確保され、そして除去中は好ましくはこれが促進されるように維持されるように構成される。
【００３０】
好ましい操作は、これらの保持補助物が使用されると最良の可能な完全で再現性の混合が起るように、例えばハンドル、保持用くぼみまたは保持用隆起がパッケージ上に配列されたボトルの形状により影響を受けることができる。ハンドルはそれが室を結合してそして／または固定するように構成することができる。多室パッケージの更なる態様において、ハンドルはそれに固定、とりわけ掛けることができる。更に、保持補助物は既知の利点をもたらし、とりわけ運搬中および除去中（空にする）の操作を助ける。
【００３１】
図１および２に従うボトルは、少なくとも２室、そしてとりわけすべての室が、注ぎ口において直接に即座の接触を可能にし、注ぎ口中の連結橋の水平配列において、垂直配列においては少なくとも最初は並んで流れる代わりに、濃厚物が明らかに相互の中に直接流入する、共通の閉鎖可能な取り出し開口部を有する、多室容器の好ましい態様の１例である。除去直前にまたはその間に良好な完全な混合を確保する多室容器の更なる有利な態様は、本発明をそれらに限定することなく、以下に説明される。
【００３２】
本発明に従うパッケージは２、３、４または更に５以上の室を含んで成ることができ、それは好ましくは２または３室を含んで成り、そしてそれは特に好ましくは２室を含んで成る。
【００３３】
生産経費をできるだけ低く維持するために、本発明の利点を達成するのに必要数の室のみを使用する。当業者はしばしば、多室パッケージのための濃厚物の適切な割合を発見するために既知の多成分濃厚物により指導されることができる。しかし、割合はまた好ましくは本発明に従うパッケージに対して具体的に、例えば、多室パッケージのための生産経費を低下させるように成分数を減少し、または除去の前そして／またはその期間中に起る接触ができるだけ集中的な完全な混合をもたらすように成分の容量を調整する点において、最適化することができる。
【００３４】
多室容器の個別の室は相互に対して独立にあらゆる所望の容量を占めることができるが、完全な混合のためには、個別の室の容量が相互に余り大きく偏らない場合に好ましいことが判明した。
【００３５】
従って多室パッケージの好ましい態様において、最大の室容量（Ｖｍａｘ）と最小の室容量（Ｖｍｉｎ）間の比率（Ｑｖｏｌ）
【００３６】
【数１】
2005206249.tif 000003
【００３７】
は４を超えない、とりわけ１と２．５の間である。特に好ましくは、すべての室はほぼ同一サイズであり、すなわちＱｖｏｌが１と１．２の間にあることを意味する。
【００３８】
多室パッケージの１室の容量は室の総内部空間、すなわち処理化学薬品で充填された空間および更に、存在するあらゆる残りの容量の双方を意味するものと理解される。信頼性の操作のためには、更に、パッケージが全体で２０ｋｇ以下の重量、とりわけ１０ｋｇ以下の重量をもつことが好ましい。適切な多室パッケージは例えば、２×１００ｍｌ〜２×５ｌの室容量をもつ、好ましくは２×１２５ｍｌ〜２×３ｌの室容量をもつ、そして特に好ましくは２×２５０ｍｌ〜２×２．５ｌの室容量をもつ２室パッケージである。
【００３９】
容量に関して多室パッケージに合致するような方法における処理補給濃厚物の成分の最適化は写真処理化学薬品分野の当業者には周知であり、本発明は具体的なタイプの分割（ｐａｒｔｉｔｉｏｎｉｎｇ）に限定はされない。
【００４０】
生産経費を節約するために、多室パッケージの室は好ましくはすべての種々な調製物を含み、すべて少なくとも５０容量％の程度まで、とりわけ少なくとも７０容量％の程度まで、そして特に好ましくは少なくとも８０容量％の程度まで調製物で充填される。調製物で充填されていない室の残りの容量は通常、空気または空気の平衡混合物および調製物から放出される（ｅｓｃａｐｉｎｇ）気体で充填される。しかしそれらは、空気の代わりに更に、少なくとも幾つかの場合には、不活性気体を含むことができるかまたは室内の気圧を減少させることができる。本発明の範囲内の不活性気体は、通常の貯蔵条件下で、同一室内の濃厚物と反応しないあらゆる気体または気体混合物と理解することができる。不活性気体は特に好ましくは酸素を含まず、そして例えば窒素、二酸化炭素またはアルゴンである。
【００４１】
しかし、多室パッケージはまた、全く調製物がない室または同一調製物を含む２個以上の室を含んで成ることができる。調製物の収容のために使用されない室、非使用部分の容量および同一調製物を含む幾つかの室はできれば回避されるが、例えば保恒性の理由または生産の理由のために必要であるかも知れない。
【００４２】
多室パッケージの好ましい態様において、少なくとも２室、好ましくはすべての室が共通の閉鎖可能な取り出し開口部を有し、その室は閉鎖状態で、相互から分離される。
【００４３】
本発明に従う多室パッケージの更に好ましい態様において、少なくとも２室、好ましくはすべての室がアダプターで取り出し開口部に連結される分離開口部を有する。この態様において、種々な化学薬品が運搬および貯蔵期間中にアダプター中ですでに接触しないことが決定的である。アダプターは例えば、個々の室から出て、そこでもそれらが相互から遮蔽されている、流出口（ｓｐｏｕｔ）の蓋に別々に導く通路（ｃｈａｎｎｅｌ）、を含んで成ることができる。
【００４４】
種々な化学薬品が除去中にアダプター中で接触する場合に、個々の室は運搬および貯蔵中は閉鎖しなければならず、除去の直前およびアダプターの取り付け前のみ開放しなければならない。これは例えば、そこでそれが例えば、計画的破壊点またはシールを突破し、この地点に停滞する、パッケージ上に取り付けられる時に室を同時に開放するアダプターにより実施することができる。このようなアダプターはまた、化学薬品の完全な混合を促進する要素を含んで成ることができる。弁をもつアダプターおよびとりわけ回収不能な（ｎｏｎ−ｒｅｔｕｒｎ）弁をもつものも可能である。
【００４５】
多室パッケージは好ましくは、室がそれにより相互から遮断される限り、あらゆる既知のタイプの蓋がそれに適する、すべての室を閉鎖する唯一の蓋を有する。とりわけ、蓋は留め具、シール物、ヒンジ付き蓋またはネジ付き蓋であることができ、そして特に好ましくは蓋はネジ付き蓋である。
【００４６】
例えば図１および２に従う２室容器に対して使用されるネジ付き蓋は本発明に従うパッケージを密閉するためには、単に材料単独の形状および選択により十分であるが、それは好ましくは、例えば化学薬品に抵抗性で信頼性の密閉を許す比較的軟らかいまたは比較的柔軟な材料のシール用リングの形態の挿入物を含んで成る。
【００４７】
ヒンジ付き蓋は好ましくは、室の１個または複数の注入コネクター上に押し出され、雄の錠締めにより、例えば引っ掛けによりそこに固定される蓋装置の一部である。蓋装置を押し上げることにより、室を同時に固定し、一緒に保持する。
【００４８】
本発明の特に有利な態様において、パッケージの室はまた、機密性の方法で相互から分離される。これは種々な化学薬品の揮発性成分が運搬および貯蔵期間中に相互に接触することを回避させる。これは既知のタイプの蓋で達成することができるが、それは特に有利には、同時にすべての室を密閉し、除去の前に引っ張って外すかまたは貫通されるボトルの首に付けられたシールにより達成される。図１および２に従うボトル中でシールは例えば領域（２）および（３）、従って更に室（４）および（５）を密閉するように取り付けられる。シールは例えば、ボトル材料自体の上に糊付けまたは溶接されるかまたはそれから形成され、溶接されることができる。シールは特に好ましくは、適切なフィルム、とりわけアルミニウム−積層ポリエチレンのフィルムを含んで成り、とりわけ高周波溶接により多室容器の開口部に恒久的に接合される。
【００４９】
本発明に従う多室パッケージは使用される溶液に対して抵抗性のすべての既知の材料から製造することができる。しかし、低重量を可能にするためにはパッケージが主としてプラスチックから製造され、とりわけそれ全体がプラスチックで製造されることが好ましい。プラスチックのパッケージは更に、破損に対して非常に抵抗性であり、他の材料に比較して、製造中により容易に成形することができる。適切なプラスチックは例えばプラスチックボトルの製造のために通常使用されるすべての形成可能なプラスチックである。多室パッケージに特に適するプラスチックはポリエチレン（ＰＥ）、ポリプロピレン（ＰＰ）、ポリエチレンテレフタレート（ＰＥＴ）またはポリビニルクロリド（ＰＶＣ）、それらの混合物、または前記のポリマーが基礎にするモノマーのコポリマーである。廃棄を容易にするために、パッケージは好ましくは純粋な種類のプラスチックから、とりわけＰＥ、ＰＰまたはＰＥＴから製造される。再利用プラスチックもまた有利に使用することができる。
【００５０】
ガラスの多室パッケージも原則として使用することができるが、それらの脆弱性および高い重量のために、それらはプラスチックのものより適さない。
【００５１】
本発明に従う利点はすでに、例えば、それらが包装物、とりわけカートン中にまたは、例えば、適当な一体の連結するプロファイルまたは固定装置により、一緒に保持され、あるいはそれらが例えば収縮フィルムおよび／または接着フィルムおよび／または弾性のおよび／または弾力的材料により恒久的に接合されているパッケージを形成するために機械的に連結されている別の容器により達成することができる。それらは特に有利には、これも警告および使用指示のために必要な接着ラベルにより一緒に維持される。
【００５２】
別の容器または恒久的に接合された室が使用されるか否かにかかわらず、個々のボトルの首ができるだけ近くに来るように、個々の容器または室のボトルの首がそれぞれ非対称的に配列され、構成される場合に好ましい。その結果、例えば蓋は単にその上にネジ留めするか押し込むことができる。２室容器に対して、２室の首が円形のねじ山中で融合する図１および２に対応する態様は特に好ましい。この態様は、例えば、おのおのがボトルの外側の縁上に半円形のボトル首を有し、正確な嵌合で相互に接合される別々の容器またはボトルにより実現することができる。正確な嵌合接合はここでは例えば、正確な嵌合を伴なって相互にかみ合う、溝と畝または概括的に１表面上のへこみと隣接面上の隆起のような特徴物を含んで成るボトルの接触面により達成することができる。
【００５３】
他方、本発明の有利な態様において、室は物理化学的にそして／または化学的に相互に恒久的に接合される。物理化学的接合は例えば接着に基づく糊付けと理解し、そして化学的接着は例えば化学反応に基づく糊付け、容器部分の融合またはそれ自体連続的な１単位としての容器部分の製造を意味するものと理解することができる。例えば、１段階で金型による押し出しブロー成形法において、または別の第２段階と組み合わせて注入成形法において多室容器を製造することによりそれ自体連続的な１単位として容器の部分を製造することが特に好ましい。この方法において、最初にまた、成形素材として唯一の大きい室を製造し、それから次に必要数の室を次の成形段階で得ることができる。図１および２は押し出しブロー成形法において製造されるこのような２室容器を示す。容器は更に、収縮フィルムまたは接着フィルムにより、この場合は恒久的に接合された室を更に接合させることにより固定させることができる。室を接着ラベルにより接合することは特に有利である。この方法で必要な指示のための大きいラベル面積および、同時に多室容器のより高い保恒性が得られる。
【００５４】
注入コネクターをもつ少なくとも２個の容器部分を含んで成り、そしてプラスチックから一体に成形され、その容器部分が容器部分の軸延長線にほぼ平行に走行する連結橋により相互に接合されており、そして同時に容器の別々の室の間の隔壁を形成する多室容器、とりわけ２室ボトルが特に好ましい。各容器部分は少なくとも１個の実質的に放射線方向に走行する橋様の強化物により軸の連結橋の両側上の隣接容器の１または複数の部分に接合させることができる。
【００５５】
容器部分の放射方向の強化橋は多室容器に更に大きい硬度を与える。とりわけ軸連結橋の周囲の容器部分の傾きまたは回転はそれにより防止される。構造による容器硬度の増加の結果として容器部分の壁の厚さを減少させることができ、それは多室容器の生産経費に対する有利な効果を有する。
【００５６】
半径方向の強化橋が軸連結橋に接合されると、容器部分の減少された壁の厚さを伴なってすら、傾きに特に硬度をもつ多室容器の構造がもたらされる。
【００５７】
軸連結橋により相互に結合される少なくとも２個の類似の容器部分を有し、一緒に容器の首を形成する注入コネクターを有する特に好ましい多室容器は有利には、押し出しブロー成形法により製造される。押し出しブロー成形法は試行され、試験され、多数の部品数のプラスチックの一体の多室容器の安価な大量生産を可能にする。この方法において、容器部分の生産および接合に対応する別々の成形室を備えたブロー金型中にパリソンが導入され、ブロー金型中に導入されるブローマンドレルにより加圧下で吹き込まれる気体により膨張される。通常、プラスチックの融解顆粒から調製されるパリソンは種々な形態にあることができる。例えば、それはチューブとして構成することができるか、または縦の円筒形の形態をもつことができる。パリソンはその調製の直後かまたは更に後になってからブロー金型の空隙中に導入され、金型の空隙に従って膨張され、それによりその最終的形態に成形される。
【００５８】
前記の１チューブ法に対する代替物として、同時に、そして相互に近接して形成される２種以上のパリソンから出発することもできる。前記の各パリソンは室の準備段階を構成し、ブロー加工において、前記パリソンを最終的多室容器に再成形することができる。このより複雑な製法は、２室に共通な隔壁がこの場合はそれぞれ２層から製造され、それが増加した機械的安定性および漏洩気密性をもたらす点で有利である。
【００５９】
３、４またはそれ以上の別々の室を有する多室容器は２室容器に記載のものと類似の方法で構成し、製造することができる。これに関しては、個々のボトルは例えば、１列または同心円状に配列することができるが、それらは好ましくは、ケーキのかけらのように（３室ボトルにおいては各１２０°の３片）配列され、個々のボトルまたは室の首は相互に補って好ましくは多室パッケージの円形の首を形成する。室の境界面は図１および２に従う２室ボトルに前記のように橋状に首に継続する。
【００６０】
３室容器については、橋は首を３通路に、４室ボトルは４通路等に分割する。
【００６１】
更なる利点は、図２に従う真っすぐな（直線状の）連結橋の代わりに、非直線状の、例えば湾曲した、段階の、Ｓ−型またはＺ−型の連結橋が提供される場合に、図１および２に従うものと類似の多室容器により達成することができる。図３の（６）として示される、特に好ましい態様の、このような非直線状連結橋は強化ミキサーとして働き、具体的な高い再現性を与え、そして空にする時に容器の操作の影響を最少にする。非直線状連結橋をもつ多室容器は適当なアダプターをもつ容器と同様な混合性をもつが、アダプターをもつものより製造が複雑であると考えられる。しかし、それらは例えば技術的理由から、消費者の要請に応じて、または必要な場所のためにアダプターの使用が可能でないか望ましくない場合に有利であることができる。
【００６２】
実は多室容器から一部の量を除去することもできるが、１回の除去時、多室容器を完全に空にすることが好ましい。これは正確な計量を許容できると考えられる通過に比較して、ボトルの首を通る大量の通過を可能にする。完全な混合のためには、より大きい通過断面が好ましいことが見いだされた。少なくとも１室に対するボトルの首の通過断面は好ましくは少なくとも５０ｍｍ２、とりわけ少なくとも１５０ｍｍ２、そして特に好ましくは少なくとも２５０ｍｍ２である。多室容器のすべての室がこのような断面を有する場合、更なる利点が達成される。より大きい通過断面は更に、多室容器の充填を容易にする。
【００６３】
処理化学薬品は液体、固体またはそれらの混合物として、とりわけ溶液、ペースト、粉末、顆粒または分散物として、懸濁物またはエマルションとして多室容器中に含まれることができる。化学薬品は室内に流動性形態で含まれるか、またはそれらは除去前に操作により流動性の状態に転化されることができる。適した操作は例えば、震盪または少なくとも２室を相互に接続して、除去の前に完全に混合することであることができる。多室パッケージは好ましくは処理化学薬品の濃縮溶液を含む。
【００６４】
本発明の特に好ましい態様において、多室パッケージは２成分または多成分漂白−定着浴濃厚物のための化学薬品を含む。既知のパッケージはこの処理段階に対して特に不満足であり、多室パッケージを漂白−定着浴補給溶液を補給するために使用する場合に、乏しい再現性の処理結果に関する前記の問題を著しく減少させることができることが発見された。この利点はカラー撮影のハロゲン化銀材料、とりわけ材料中の総ハロゲン化銀に基づいて少なくとも９５モル％の塩化銀を含有するコピー材料の処理において特に著明であり、１０〜１３０秒の、とりわけ１５〜９０秒、そして特に２０〜６０秒の短時間の漂白−定着時間で最大程度に起る。
【００６５】
特に良好な結果は漂白剤と定着剤が別の室内に、そしてとりわけそれぞれが濃厚物として含まれる多室パッケージにより達成することができる。
【００６６】
とりわけ、既知の１成分の漂白−定着浴濃厚物に比較して、濃厚物の増加した自己酸化をそれにより回避することができ、その結果、濃厚物自体およびそれから調製される補給タンク溶液（補給剤）双方の貯蔵寿命が著しく改善される。
【００６７】
更に、より高度に濃厚化した調製物を調製し、それにより沈殿物を起こすことなく、運搬および貯蔵経費を節約することができる。
【００６８】
好ましい態様において、多室パッケージは２室を含んで成り、そこで１室はＦｅ（ＩＩＩ）錯塩（例えば鉄（ＩＩＩ）−ＥＤＴＡまたは鉄（ＩＩＩ）−ＥＤＤＳのような）およびバッファー物質（例えば酢酸、イミダゾール、リン酸またはジカルボン酸またはそれらの塩のような）を含んで成る、漂白剤を含む濃厚物を含む。他方の室は定着剤、好ましくはチオスルフェート、とりわけアンモニウムチオスルフェート、そして有利には更に定着剤のための保恒剤、例えば亜硫酸塩を含む濃厚物を含む。２種の濃厚物は更に硝酸塩または臭化物を含んで成ることができる。
【００６９】
写真の漂白および漂白−定着浴に適するＦｅ（ＩＩＩ）錯塩は多数の文献（例えば、欧州特許第３２９  ０８８号、５８４  ６６５号、５０７  １２６号、５５６  ７８２号、５３２  ００３号、７５０  ２２６号、６５７  ７７７号、５９９  ６２０号、５８８  ２８９号、７２３  １９４号、８５１  ２８７号、８４０  １６８号、８７１  ０６５号、５６７  １２６号、７２６  ２０３号および米国特許第５  ６７０  ３０５号明細書）から知られる。
【００７０】
Ｆｅ（ＩＩＩ）にとって好ましい錯生成剤は：エチレンジアミン四酢酸（ＥＤＴＡ）、プロピレンジアミン四酢酸（ＰＤＴＡ）、β−アラニン二酢酸（ＡＤＡ）、ジエチレントリアミン五酢酸（ＤＴＰＡ）、メチルイミノ二酢酸（ＭＩＤＡ）、エチレンジアミンモノスクシネート（ＥＤＭＳ）、メチルグリシン二酢酸（ＭＧＤＡ）、エチレンジアミンジスクシネート（ＥＤＤＳ）、特に（Ｓ，Ｓ）−ＥＤＤＳ、イミノコハク酸、イミノコハク酸−プロピオン酸および２−ヒドロキシプロピルイミノ二酢酸であり、そして好ましい漂白剤は挙げられた錯生成剤の１種との鉄錯体の少なくとも１種を含んで成る。
【００７１】
錯生成剤の混合物もまた使用することができ、０．１５〜１．５モル／ｌの間そして好ましくは０．２〜１．２モル／ｌの間、そして特に好ましくは０．３〜０．９モル／ｌのＦｅ（ＩＩＩ）錯生成剤を濃厚物中に使用する。更に、例えば３−メルカプト−１，２，４−トリアゾールまたはチオグリセロールのような漂白促進剤も使用することができる。
【００７２】
濃厚物の更なる成分は例えば、アミノポリカルボン酸、再ハロゲン化剤、ｐＨを調節するための酸およびアルカリ、漂白促進剤、白色発色剤（ｗｈｉｔｅ  ｃｏｕｐｌｅｒｓ）およびバッファー物質であることができる（Ｒｅｓｅａｒｃｈ  Ｄｉｓｃｌｏｓｕｒｅ  ３７  ０３８号、１９９５年２月、ページ１０７〜１０９を参照されたい）。
【００７３】
酢酸の外の、好ましいバッファー物質は例えばマロン酸、コハク酸またはアジピン酸のようなジカルボン酸およびそれらの塩である。バッファー物質は漂白剤を含む室内に、そして定着剤を含む室内の双方に含まれることができる。
【００７４】
漂白剤を含んで成る濃厚物のｐＨは１〜９、好ましくは２〜８、そして特に好ましくは２．５〜７．５である。
【００７５】
使用することができるリン酸塩はアルカリ金属塩および／またはアンモニウム塩、例えばリン酸二水素アンモニウム、リン酸水素ジ−アンモニウム、リン酸トリ−アンモニウム、リン酸二水素カリウム、リン酸水素二カリウム、リン酸三カリウム、リン酸二水素ナトリウム、リン酸水素二ナトリウムおよびリン酸三ナトリウムである。
【００７６】
硝酸および臭化アルカリ金属および／またはアンモニウムを硝酸塩および臭化物として使用することができる。
【００７７】
リン酸塩、硝酸塩および臭化物は好ましくは０．１〜２．０モル／ｌ、特に０．２〜１モル／ｌの量で濃厚物に添加される。
【００７８】
適切な定着剤はとりわけ、ナトリウム、カリウム、そして特にアンモニウムチオスルフェートである。更に、ナトリウム、カリウムおよびアンモニウムチオシアネートも定着剤として使用することができる。例えばイミダゾールのような定着促進剤を更に使用することができる。
【００７９】
適切な亜硫酸塩は例えば亜硫酸アンモニウム、亜硫酸水素アンモニウム、亜硫酸ナトリウム、二亜硫酸ナトリウム、亜硫酸水素ナトリウム、亜硫酸カリウム、二亜硫酸カリウムおよび亜硫酸水素カリウムである。適切なスルフィン酸は例えば、ヒドロキシメタンスルフィン酸、ホルムアミジンスルフィン酸、ベンゼンスルフィン酸、ｐ−トルエンスルフィン酸、メタンスルフィン酸、ｏ−アミドスルフィン酸およびそれらの塩である。
【００８０】
個別のまたは混合物中の他の錯生成剤も更に、濃厚物に添加することができる。これに対して好ましい錯生成剤は、例えば蓚酸、マロン酸、グルタル酸、アジピン酸、スベリン酸、フマル酸、マレイン酸、イタコン酸またはフタール酸のようなポリカルボン酸である。例えば、クエン酸、グリコール酸、乳酸、リンゴ酸、酒石酸またはガラクタル酸のようなポリヒドロキシ−ポリカルボン酸も好ましい。
【００８１】
パッケージを開放し、空にした後に、パッケージの２種の濃厚物が注入口の直後に相互に接触し、次に通常、１：１〜１：２０の比率、好ましくは１：２〜１：１５の比率、そして特に好ましくは１：３〜１：１２の比率で水で希釈される。濃厚物はまた、パッケージの開放および空にした後に未希釈の形態でも使用することができる。
【００８２】
漂白−定着補給溶液のための多室パッケージはまた、漂白−定着浴溶液の補給タンク中のｐＨをそれにより調整することができる、例えば酸（例えば酢酸、コハク酸、リン酸、硝酸または硫酸のような）を含んで成る第３の濃厚物を含むことができる。しかし、酸は好ましくは漂白剤のための室および／または定着剤のための室内に含まれるので、この場合には、２種の濃厚成分だけが必要である。
【００８３】
本発明の好ましい態様において、１処理段階のための化学薬品が多室パッケージにより補給されるのみならずまた、少なくとも１つの更なる処理段階に要する化学薬品もまた、多室パッケージにより補給される。漂白−定着化学薬品を補給するための多室パッケージを前記のように使用する場合は、例えば更にカラー現像化学薬品を補給するために多室パッケージを使用することが有利である。
【００８４】
異なる処理浴のための化学薬品と混同することも確実に防止するために、パッケージが目的とする処理段階を容易に、明白に識別する特徴物を多室パッケージに提供することができる。これは例えば、処理タンクの供給開口部における対応する標識付けと合致するパッケージにおける色彩標識付けにより実施することができる。更なる節約は、適切なパッケージのみが処理タンク中に充填されることができる方法でパッケージの取り出し開口部およびそれに対応して処理タンクの供給開口部の形態である。これは例えば供給開口部の内側の形状に嵌合する取り出し開口部の外側の形状により達成することができ、例えば、円、長方形、溝、等のような種々な幾何学的形態により可能である。
【００８５】
カラー現像剤はカラー撮影のハロゲン化銀材料の現像に使用される。カラー現像溶液中で、ハロゲン化銀は材料のエマルション層の露出点において金属銀に還元される。この操作中に形成されるカラー現像剤の酸化生成物がエマルション層中に含まれるカラー発色剤と反応して、黄色、紅色および青色現像染料を形成する。従って黒白像と同時に、染料像が形成され、それが、金属の銀が漂白され、次の処理中に除去される時に残留する。金属銀の除去は、カラー印画紙の処理においては主として漂白−定着浴中で、そしてカラー印画フィルムの処理においては主として漂白浴中および次の定着浴中で実施される。
【００８６】
現像剤浴の特定の成分は比較的長い待機時間中に相互に相容性でないために、これらの異なる濃厚物は通常、カラー現像溶液の調製のために使用される。従って、例えば一方の濃厚物は抗酸化剤、補助溶媒および漂白剤を含んで成り、第二の濃厚物はカラー現像物質、例えば４−（Ｎ−エチル−Ｎ−２−メチル−スルホニルアミノエチル）−２−メチルフェニレンジアミン・セスキスルフェート（ＣＤ−３）または４−（Ｎ−エチル−Ｎ−２−ヒドロキシエチル）−２−メチルフェニレンジアミンスルフェート（ＣＤ−４）および通常、更に抗酸化剤を含んで成り、そして第三の濃厚物はバッファー物質、アルカリ、石灰防止剤および場合により曇り防止剤を含んで成る。
【００８７】
特に良好な結果は現像物質およびアルカリが別の室内に、そしてとりわけそれぞれ濃厚物として含まれる多室パッケージにより達成することができる。
【００８８】
とりわけ、既知の１成分カラー現像濃厚物と比較して、それにより濃厚物の増加した自動酸化を回避することができ、その結果濃厚物自体およびそれから調製した補給タンク溶液（補給剤）双方の貯蔵寿命が著しく改善される。
【００８９】
更に、より高度に濃厚な調製物を調製することが可能であり、その結果、沈殿物が発生せずに運搬および貯蔵経費を節約することが可能である。
【００９０】
好ましい態様において、多室パッケージは２室を含んで成り、そこでその１室は例えば４−（Ｎ−エチル−Ｎ−２−メチルースルホニルアミノエチル）−２−メチルフェニレンジアミン・セスキスルフェート（ＣＤ−３）または４−（Ｎ−エチル−Ｎ−２−ヒドロキシエチル）−２−メチルフェニレンジアミンスルフェート（ＣＤ−４）のようなカラー現像物質を含む濃厚物を含み、７未満のｐＨを有する。他方の室は７より高いｐＨを有する濃厚物を含み、とりわけバッファーおよびアルカリを含んで成る。
【００９１】
カラー現像物質はＣＤ−３またはＣＤ−４で通常のように硫酸塩として、または更にリン酸塩、ｐ−トルエンスルホネート、塩化物としてまたは遊離塩基として、濃厚物中に添加することができる。しかしＣＤ−３（セスキスルフェート）およびＣＤ−４（スルフェート）もまた、使用することができ、スルフェートイオンは金属イオンとの沈殿によりそして濾過により分離することができる。
【００９２】
カラー現像物質は０．０４〜２．３モル／ｌの間、好ましくは０．０５〜２．１モル／ｌの間、そして特に好ましくは０．０６〜１．９モル／ｌの間の量で濃厚物中に使用される。
【００９３】
カラー現像物質のための本発明に従う濃厚物（現像濃厚物）はまた、カラー現像物質の外に、カラー撮影感光材料の現像に要する通常の化学薬品、とりわけ抗酸化剤、溶媒、湿潤化剤、石灰防止剤、漂白剤、重金属イオンの錯生成剤、バッファーシステム、曇り防止剤およびｐＨの調整のための酸またはアルカリを含んで成る。
【００９４】
適切な抗酸化剤はアルカリ金属スルファイトまたはアルカリ金属ジスルファイト、ヒドロキシルアミン（ＨＡ）、ジエチルヒドロキシルアミン（ＤＥＨＡ）、Ｎ，Ｎ−ビス（２−スルホエチル）ヒドロキシルアミン（ＨＡＤＳ）および式（Ｉ）、（ＩＩ）および（ＩＩＩ）：
【００９５】
【化１】
2005206249.tif 000004
【００９６】
式中、
Ｒ１は場合により置換されたアルキルを表わし、
Ｒ２は場合により置換されたアルキルまたは場合により置換されたアリールを表わし、そして
ｎは０または１を表わす、
好ましくは基Ｒ１およびＲ２の少なくとも一方が少なくとも１個の−ＯＨ、−ＣＯＯＨまたはＳＯ３Ｈ基を含むもの、
【００９７】
【化２】
2005206249.tif 000005
【００９８】
式中、
Ｒ３はアルキルまたはアシル基を表わす、
【００９９】
【化３】
2005206249.tif 000006
【０１００】
式中、
Ｒ４は場合によりＯ原子により妨害されるアルキレン基を表わし、そして
ｍは少なくとも２の数を表わす、
の化合物である。
【０１０１】
アルキル基Ｒ１、Ｒ２およびＲ３、アルキレン基Ｒ４およびアリール基Ｒ２は前記の置換基以外に更なる置換基を含むことができる。
【０１０２】
適切な抗酸化剤の例は、
【０１０３】
【化４】
2005206249.tif 000007
【０１０４】
【化５】
2005206249.tif 000008
【０１０５】
である。
【０１０６】
４−（Ｎ−エチル−Ｎ−２−メチル−スルホニルアミノエチル）−２−メチルフェニレンジアミン・セスキスルフェート（ＣＤ−３）または４−（Ｎ−エチル−Ｎ−２−ヒドロキシエチル）−２−メチルフェニレンジアミンスルフェート（ＣＤ−４）がカラー現像物質として使用される場合は、亜硫酸塩、ヒドロキシルアミン、ジエチルヒドロキシルアミンおよび抗酸化剤（０−２）が好ましい。特に好ましい抗酸化剤は硫酸ヒドロキシルアンモニウム、亜硫酸ナトリウム、亜硫酸カリウム、（０−２）およびジエチルヒドロキシルアミンである。
【０１０７】
抗酸化剤の組み合わせ物またはいくつかの抗酸化剤の使用も可能である。
【０１０８】
抗酸化剤は０．１ミリモル〜１０．０モル／ｌの量で、好ましくは０．５ミリモル〜８．０モル／ｌの量で、特に好ましくは１．０ミリモル〜６．０モル／ｌの量で濃厚物中に使用される。
【０１０９】
好ましい態様において、カラー印画紙を処理するための濃厚物は１種または複数の水溶性有機溶媒を含んで成ることができる。
【０１１０】
カラー印画紙を処理するための濃厚物のための好ましい態様において、有機溶媒は２０，０００の平均分子量を有する、モノエチレングリコール〜ポリエチレングリコールの種々な分子量のポリエチレングリコールの混合物、例えばジエチレングリコール、４００の平均分子量を有するポリエチレングリコールおよび１５，０００の平均分子量を有するポリエチレングリコールの混合物を含んで成る。平均分子量は重量平均である。
【０１１１】
とりわけポリエチレングリコール混合物は有機溶媒の少なくとも９０容量％までを形成する。
【０１１２】
使用することができる好ましいグリコールはまた、エチレングリコール、ジエチレングリコール、トリエチレングリコール、テトラエチレングリコール、１，２−プロパンジオール、トリエチレングリコールモノフェニルエーテルおよびジエチレングリコールモノエチルエーテルである。グリコールの外に、トリエタノールアミン、トリイソプロパノールアミン、カプロラクタム、プロピレングリコールまたはプロピレングリコール混合物またはｐ−トルエンスルホン酸またはそれらの塩も好ましく使用することができる。
【０１１３】
可能な水溶性有機溶媒はグリコール、ポリグリコール、アルカノールアミン、脂肪族および複素環式カルボキシアミド並びに脂肪族および環式モノアルコールから成る群からのものであり、そこで水および水溶性溶媒の総量の５０〜９５重量％、好ましくは６０〜９０重量％が水である。
【０１１４】
適切な水溶性溶媒は例えばカルボン酸アミドおよび尿素誘導体（ジメチルホルムアミド、メチルアセトアミド、ジメチルアセトアミド、Ｎ，Ｎ’−ジメチル−尿素、テトラメチル尿素、メタンスルホンアミド、ジメチルエチレン尿素、Ｎ−アセチルグリシン、Ｎ−バレルアミド、イソバレルアミド、Ｎ−ブチルアミド、Ｎ，Ｎ−ジメチルブチルアミド、Ｎ−（２−ヒドロキシフェニル）−アセトアミド、Ｎ−（２−メトキシフェニル）−アセトアミド、２−ピロリジノン、ε−カプロラクタム、アセトアニリド、ベンズアミド、トルエンスルホンアミドおよびフタルイミドのような）、
脂肪族および環式アルコール、例えばイソプロパノール、ｔｅｒｔ−ブチルアルコール、シクロヘキサノール、シクロヘキサンメタノールおよび１，４−シクロヘキサンジメタノール、
脂肪族および環式多価アルコール、例えばグリコール、ポリグリコール、ポリワックス、トリメチル−１，６−ヘキサンジオール、グリセロール、１，１，１−トリメチロールプロパン、ペンタエリスリトールおよびソルビトール、
脂肪族および環式ケトン、例えばアセトン、エチルメチルケトン、ジエチルケトン、ｔｅｒｔ−ブチルメチルケトン、ジイソブチルケトン、アセチルアセトン、アセトニルアセトン、シクロペンタノンおよびアセトフェノン、
脂肪族および環式カルボン酸エステル、例えばトリエトキシメタン、メチルアセテート、アリルアセテート、メチルグリコールアセテート、エチレングリコールジアセテート、グリセロール１−アセテート、グリセロールジアセテート、メチルシクロヘキシルアセテート、サリチル酸メチルエステルおよびサリチル酸フェニルエステル、
脂肪族および環式ホスホン酸エステル、例えば、メチルホスホン酸ジメチルエステルおよびアリルホスホン酸ジエチルエステル、
脂肪族および環式オキシ−アルコール、例えば４−ヒドロキシ−４−メチル−２−ペンタノンおよびサリチル−アルデヒド、
脂肪族および環式アルデヒド、例えばアセトアルデヒド、プロパナール、トリメチルアセトアルデヒド、クロトンアルデヒド、グルタルアルデヒド、１，２，５，６−テトラヒドロベンズアルデヒド、ベンズアルデヒド、ベンゼンプロパンおよびテレフタールアルデヒド、
脂肪族および環式オキシム、例えばブタノンオキシムおよびシクロハキサノンオキシム、
脂肪族および環式アミン（第一級、第二級または第三級）、例えばエチルアミン、ジエチルアミン、トリエチルアミン、ジプロピルアミン、ピロリジン、モルホリンおよび２−アミノピリミジン、
脂肪族および環式ポリアミン（第一級、第二級または第三級）、例えばエチレンジアミン、１−アミノ−２−ジエチルアミノエタン、メチル−ビス−（２−メチルアミノ−エチル）アミン、ペルメチル−ジエチレントリアミン、１，４−シクロヘキサンジアミンおよび１，４−ベンゼン−ジアミン、
脂肪族および環式ヒドロキシ−アミン、例えばエタノールアミン、２−メチルアミノエタノール、２−（ジメチルアミノ）エタノール、２−（２−ジメチルアミノ−エトキシ）−エタノール、ジエタノールアミン、Ｎ−メチルジエタノールアミン、トリエタノールアミン、２−（２−アミノエチル−アミノ）−エタノール、トリイソプロパノールアミン、２−アミノ−２−ヒドロキシメチル−１，３−プロパンジオール、１−ピペリジン−エタノール、２−アミノフェノール、バルビツール酸、２−（４−アミノフェノキシ）−エタノールおよび５−アミノ−１−ナフトール、
である。
【０１１５】
カラーネガフィルムを処理するための濃厚物は好ましくは１種または複数の水溶性有機溶媒を全く含まないかまたはごく少量含んで成る。
【０１１６】
適切な石灰防止剤は例えば、アミノポリカルボン酸（例えばエチレンジアミン四酢酸（ＥＤＴＡ）、プロピレンジアミン四酢酸（ＰＤＴＡ）、β−アラニン二酢酸（ＡＤＡ）、ジエチレントリアミン五酢酸（ＤＴＰＡ）、メチルイミノ二酢酸（ＭＩＤＡ）、エチレンジアミンモノスクシネート（ＥＤＭＳ）、メチルグリシン二酢酸（ＭＧＤＡ）、エチレンジアミンジスクシネート（ＥＤＤＳ）のような）、特に（Ｓ，Ｓ）−ＥＤＤＳ、イミノコハク酸、イミノスクシン酸−プロピオン酸および２−ヒドロキシプロピルイミノ二酢酸である。
【０１１７】
カルシウムに対する、そして更に重金属に対する更に適切な錯生成剤は例えばポリホスフェート、ホスホン酸、ポリアミノポリホスホン酸、ヒドロキシ−アルキリデンジホスホン酸、アミノポリホスホン酸および加水分解ポリマレイン酸無水物、例えばヘキサメタリン酸ナトリウム、１−ヒドロキシエタン−１，１−ジホスホン酸、アミノトリスメチレンホスホン酸、エチレンジアミンテトラメチレンホスホン酸、４，５−ジヒドロキシ−１，３−ベンゼンジスルホン酸、５，６−ジヒドロキシ−１，２，４−ベンゼントリスルホン酸、３，４，５−トリヒドロキシ安息香酸、モルホリノメタンジホスホン酸およびジエチレントリアミンペンタメチレンホスホン酸である。
【０１１８】
濃厚物は好ましくは不溶解成分を含まず、とりわけ貯蔵中、特に好ましくは更に０℃未満、とりわけ０℃と−７℃の間の貯蔵中に、沈殿しない。
【０１１９】
使用される濃厚物はヒドロキシル基を担持し、約５０〜２００の分子量を有する、比較的高い含量の、水混和性の、とりわけ直鎖有機溶媒およびその中に可溶性のバッファー物質を含んで成ることができる。有機溶媒に対する水の重量比は好ましくは１５：８５と５０：５０の間である。
【０１２０】
濃厚物中に使用される湿潤化剤はアニオン、カチオンまたは非イオン性であることができる。ポリアルキレンオキシド構造単位を有する非イオン湿潤化剤が好ましい。
【０１２１】
バッファー物質は好ましくは９と１３の間のｐＫａ値を有する。適切なバッファー物質は例えば炭酸塩、ホウ酸塩、四ホウ酸塩、グリシンの塩、トリエタノールアミン、ジエタノールアミン、リン酸塩およびヒドロキシベンゾエートであり、それらのうちでアルカリ金属炭酸塩、アルカリ金属リン酸塩およびトリエタノールアミンが好ましく、アルカリ金属炭酸塩（例えば炭酸ナトリウムおよび炭酸カリウムのような）が特に好ましい。
【０１２２】
カラー現像物質を含んで成る低硫酸塩濃厚物の調製において、アルカリ金属塩基をカラー現像剤の硫酸塩および場合により更なる添加剤を含む水溶液に添加し、次にアルカリ金属硫酸塩の沈殿を有機溶媒の添加により終結させることができる。アルカリ金属硫酸塩を所望の適切な分離法、例えば濾過により分離する。
【０１２３】
この目的に特に適する有機溶媒は例えばポリオールであり、そしてこれらのうちで、とりわけ、グリコール（エチレングリコール、ジエチレングリコールおよびトリエチレングリコール、ポリヒドロキシアミンのような）そしてこれらのうちで、とりわけポリアルカノールアミンおよびアルコール、とりわけエタノールおよびベンジルアルコールである。１相の１成分濃厚物の調製にもっとも適する有機溶媒はジエチレンアルコールである。
【０１２４】
処理条件、適したカラー現像物質、適したバッファー物質、適した石灰防止剤、適した漂白剤、補助現像剤、現像促進剤および曇り防止剤はＲｅｓｅａｒｃｈ  Ｄｉｓｃｌｏｓｕｒｅ  ３７  ０３８（１９９５年２月）の１０２〜１０７ページおよび１１１〜１１２ページに記載されている。
【０１２５】
以下の処理順序が特に適する：
カラー現像、漂白−定着、洗浄／保恒化（ｓｔａｂｉｌｉｚａｔｉｏｎ）
カラー現像、漂白、定着、洗浄／保恒化
カラー現像、漂白、漂白−定着、洗浄／保恒化
カラー現像、停止、洗浄、漂白、洗浄、定着、洗浄／保恒化
カラー現像、漂白−定着、定着、洗浄／保恒化
カラー現像、漂白、漂白−定着、定着、洗浄／保恒化。
【０１２６】
カラー現像剤補給溶液のための多室パッケージはまた、例えば抗酸化剤、溶媒を伴なう漂白剤または保恒剤を含んで成る第３の濃厚物を含むことができる。
【０１２７】
本発明は更に、多室パッケージが処理化学薬品を補給するために使用されることを特徴とする、写真材料を処理するための方法を提供する。
【０１２８】
本発明は更に、パッケージの室をプラスチック押し出しブロー成形法により一体に製造し、次に室を種々な化学薬品で充填し、その後にパッケージを閉鎖することを特徴とする、多室パッケージの製法を提供する。
【０１２９】
本発明は更に、写真処理装置の処理タンクまたは補給タンクを補給するための多室パッケージの使用法を提供する。
【０１３０】
本発明の更に好ましい態様は従属請求項から認めることができる。
［実施例］
【０１３１】
処理実験の方法
以下の実施例３〜５、７および８において、市販のカラー紙Ａｇｆａタイプ１１を処理し、ここでこれは１ｍ２当り約０．６ｇの銀の総銀量を含有する、早急な処理のためのカラー写真ネガであり、そのハロゲン化銀エマルションは９５モル％を超える程度の塩化銀を含んで成る。処理はタイプＭＳＣ１０１のＡｇｆａミニラボ中で実施され、ここでミニラボは各個別の実験に対して以下のように準備された。
【０１３２】
最初に完全に空にした（処理および補給タンク）ミニラボの処理タンク（ＣＤ、ＢＸ、ＳＢ）を市販のＡｇｆａ  ＭＳＣ１０１タンクキット（処理ＡＰ９４）からのバッチで調製し、現像および保恒剤浴のための補給タンクを市販のＭＳＣ  １０１  ＰａｐｅｒＣＤ−ＲおよびＭＳＣ１０１  ＰａｐｅｒＳＢ−Ｒから調製した。漂白−定着浴のための補給タンクを実施例に記載のように充填した。
【０１３３】
操作職員による操作ミスをシミュレートするために漂白−定着補給剤容器中のバッチを撹拌しなかった。すべてのタンク溶液および残りの補給溶液を種類に応じて調製した。
【０１３４】
すべての実験において補給速度はカラー現像剤に対しては９０ｍｌ／ｍ２、漂白−定着浴に対して１００ｍｌ／ｍ２そして保恒剤浴に対して２００ｍｌ／ｍ２であった。
【０１３５】
工程を平衡状態にもたらすために、それぞれ、被写体で露出されたカラー印画紙の量を漂白−定着浴補給剤の１ｌが消費されるまで処理した。その後、全面積上をすべての色彩において最大密度まで露出されたシートの黒いシートを、漂白作用を評価するために処理した。この方法で露出されたシート上では印画紙に含まれた銀の総量を現像後に漂白しなければならないので、黒いシートは漂白−定着浴に対する適当な試験物質である。残留銀を含まない物質はＩＲに透明であり、他方、銀はＩＲに非透明であるので、漂白作用はＩＲ検査装置によるＩＲ光線下で完全に処理されたシート上で視覚的に容易に検査することができる。試験結果の所見は残留銀を認めた場合は「残留銀」または漂白作用が順当である場合は「残留銀なし」と実施例中に記載される。
【０１３６】
本発明に従う実験に対し、図１および２に従う２室ボトルを使用し、注出期間中、その流出口および上部閉鎖領域（３）を分割する連結橋が水平に配列されるようにボトルを保持した。
【実施例１】
【０１３７】
この実験において、Ａｇｆａ  ＭＳＣ１０１ミニラボの補給剤容器中の完全な混合を研究した。このために、準備としてそれぞれ、単に漂白−定着溶液のための補給剤容器を空にすることが必要なだけであった。処理はなにも実施しなかった。
濃厚成分Ａの１リッターは以下を含んで成る：
チオ硫酸アンモニウム溶液、５８重量％濃度、７００ｍｌ
ナトリウムジスルファイト    １００ｇ
ｐＨ   ５．５（ｐＨはＮＨ３またはＨ２ＳＯ４で調整する）。
濃厚成分Ｂの１リッターは以下を含んで成る：
ＮＨ４Ｆｅ（ＩＩＩ）ＥＤＴＡ、４８重量％濃度溶液 ７００ｍｌ
ｐＨ   ７．０（ｐＨはＮＨ３またはＨ２ＳＯ４で調整する）。
使用準備のできた漂白−定着補給溶液１リッターを調製するためには、成分Ａ２００ｍｌおよび成分Ｂ１００ｍｌを要する。
【０１３８】
Ａｇｆａ  ＭＳＣ１０１ミニラボの、それぞれ前以て完全に空にした漂白−定着補給剤容器中に、前記の濃厚物で５リッターの２バッチを調製した。これに対し、最初に、それぞれ３．５リッターの水を導入し、
第１の実験においては、濃厚物の成分Ａおよび成分Ｂを
ａ）１，０００ｍｌのボトルおよび５００ｍｌのボトルから連続して（最初に成分Ａ、次に成分Ｂ）添加し、そして
第２の実験においては、
ｂ）取り出し開口部をもつ２室ボトルから同時に添加し、
そこで実験ｂ）において、濃厚物は取り出し開口部の直後に接触し、そして室は約１，０００ｍｌおよび約５００ｍｌの容量を有する。
【０１３９】
操作職員による操作ミスをシミュレートするために、漂白−定着補給剤容器中のバッチを撹拌しなかった。補給剤容器の種々な高さで２種バッチから試料を採取し、チオスルフェートおよび鉄の含量を分析した。結果を表１に示す。
【０１４０】
【表１】
2005206249.tif 000009
【０１４１】
結果から、驚くべきことには、個別の２本のボトルから使用されるよりも、２室ボトルからの２濃厚物の同時の流入により、バッチの著しく良好な完全な混合が起ることを明白に認めることができる。
【実施例２】
【０１４２】
実施例１に対応する濃厚物の成分Ａ
濃厚物の成分Ｂの１リッターは以下を含んで成る：
Ｈ４Ｆｅ（ＩＩＩ）ＥＤＴＡ、４８重量％濃度の溶液      ３５０ｍｌ
コハク酸                                              ４０ｇ
ｐＨ    ３．０（ｐＨはＨＮＯ３で調整する）。
使用準備のできた漂白−定着補給溶液１リッターを調製するためには、成分Ａ２００ｍｌおよび成分Ｂ２００ｍｌを要する。
【０１４３】
実験および分析を実施例１と同様に実施したが、各実験に対してそれぞれ水３リッターを最初に導入し、濃厚物成分Ａおよび成分Ｂを
第１の実験で、ａ）２本の１，０００ｍｌのボトルから連続して添加し、そして
第２の実験では、ｂ）２室ボトルから同時に添加し、
ここで２室ボトルの室はそれぞれ、約１，０００ｍｌの容量を有する。結果を表２に示す。
【０１４４】
【表２】
2005206249.tif 000010
【０１４５】
結果から、驚くべきことには、同容量の個別の２本のボトルから使用される時よりも、等容量の２室をもつ２室ボトルの場合においてすら、２濃厚物の同時の流入により、バッチの著しく良好な完全な混合が起ることを明白に見ることができる。
【実施例３】
【０１４６】
処理された材料に対する完全な混合の影響を研究するために、実施例１からの実験ａ）およびｂ）を繰り返したが、今度は、「Ｐｄｏｃｅｄｕｒｅ  ｆｏｒ  ｔｈｅ  ｐｒｏｃｅｓｓｉｎｇ  ｅｘｐｅｒｉｍｅｎｔｓ（処理実験の方法）」下に記載されたように実施した。
【０１４７】
結果は表３に示す。
【０１４８】
【表３】
2005206249.tif 000011
【０１４９】
表３から、ペーパーの処理経過中に補給剤が通常使用される２本のボトルから調製される場合は、残留銀が存在し、他方この問題は驚くべきことには、本発明に従う２室ボトルが使用されると、起らないことを明白に見ることができる。
【実施例４】
【０１５０】
実施例１で調製された濃厚物成分Ａおよび成分Ｂを、
ａ）２本の別々のボトルにそして
ｂ）２室ボトル中に
充填し、４０℃で４週間貯蔵した。
【０１５１】
次にタンクの溶液を濃厚物から
ａ）個別のボトルからの成分Ａを２ｌそして成分Ｂを１ｌ、または
ｂ）２室ボトルからの成分Ａを２ｌそして成分Ｂを１ｌ、
を１０リッターまで充填し、溶液をアンモニアによりｐＨ６．０に調整し、それらでＭＳＣ１０１装置を充填することにより調製した。残りの浴を「処理実験法」に記載のように調製した。次にタイプ１１の印画紙を処理し、センチメートルで測定した。
【０１５２】
ここでタイプ１１印画紙の処理時に、異なる黄色の曇り（Ｙｗ−Ｄｍｉｎ）が発生したことを認めた。２室ボトルのＢＸ濃厚物からのタンクの溶液は２種の個別のボトルからのタンク溶液が使用された時より少ない現像紙上の黄色の曇りを示した。測定結果は表４に示す。
【０１５３】
【表４】
2005206249.tif 000012
【０１５４】
表４から、２本の個別のボトルからのタンク溶液を使用すると、処理後に高度の黄色の曇りが起るが、他方、この問題は２室ボトルが使用されると、驚くほど起らないことを明白に認めることができる。
【実施例５】
【０１５５】
実施例４で処理された印画紙材料を処理後３５℃、９０％相対湿度で３２日間、貯蔵し、次に黄色の曇りを再度測定した。結果は表５に示す。
【０１５６】
【表５】
2005206249.tif 000013
【０１５７】
表５から、２本の個別のボトルからのタンク溶液が使用されると、新鮮な現像に比較されると処理および環境中での貯蔵後に黄色の曇りは有意に増加するが、他方、この問題は２室ボトルが使用されると、驚くべきことには、実質的により低く起ることを明白に認めることができる。
【実施例６】
【０１５８】
濃厚物は、補給剤それぞれ１０ｌの調製のために使用される予定の、
ａ）１成分漂白−定着浴および
ｂ）２室漂白−定着浴
に対して調製した。２室の漂白−定着浴の濃厚物に対しては、２×１ｌボトルを使用し、１成分漂白−定着浴濃厚物に対しては２ｌのボトルを使用した。補給剤の調製のためには、それぞれ２×１００ｍｌの２室漂白−定着浴または２００ｍｌの１成分漂白−定着浴を使用し、そのため２濃厚物からの調製後に、補給剤は同一濃度の使用される有効化合物を含んた。
ａ）１成分漂白−定着浴のレシピー：
濃厚物１ｌは以下を含んで成る：
チオ硫酸アンモニウム、５８重量％濃度溶液、  ３５０ｍｌ
ナトリウムジスルファイト                      ５０ｇ
ＮＨ４Ｆｅ（ＩＩＩ）ＥＤＴＡの４８重量％濃度溶液、表６に対応する
コハク酸                                      １０ｇ
ｐＨ    ５．７（ｐＨはＮＨ３またはＨ２ＳＯ４で調整される）。
ｂ）２室漂白−定着浴のレシピー：
濃厚物成分Ａの１リッターは以下を含んで成る：
チオ硫酸アンモニウム、５８重量％濃度溶液、  ７００ｍｌ
ナトリウムジスルファイト                    １００ｇ
ｐＨ    ５．３（ｐＨはＮＨ３またはＨ２ＳＯ４で調整される）。
濃厚物成分Ｂの１リッターは以下を含んで成る：
ＮＨ４Ｆｅ（ＩＩＩ）ＥＤＴＡの４８重量％濃度溶液、表６に対応する
コハク酸                          ２０ｇ
ｐＨ    ６．５（ｐＨはＮＨ３またはＨ２ＳＯ４で調整される）。
消費者への運搬中および消費者の家庭における冷たいおよび熱い貯蔵をシミュレートするためにａ）およびｂ）下で調製された濃厚物を最初に６０℃で１週間、次に−５℃で１週間貯蔵した。次に試料を濃厚物中の沈殿物につき、視覚的に検査した。結果を表６に示す。
【０１５９】
【表６】
2005206249.tif 000014
【０１６０】
表６から、濃厚物の貯蔵後に、減少された濃度のＮＨ４Ｆｅ（ＩＩＩ）ＥＤＴＡにもかかわらず１成分の漂白−定着浴のすべての濃厚物中で沈殿物が起り、他方、驚くべきことには、それぞれ、ＮＨ４Ｆｅ（ＩＩＩ）ＥＤＴＡの濃度が２倍に高いにもかかわらず、２室ボトルにおいてはそれが起らないことを明白に認めることができる。
【実施例７】
【０１６１】
実施例６中のａ）およびｂ）において調製された濃厚物を６０℃で１週間貯蔵した。次にタンク溶液を、それぞれ１０リッターまで、
ａ）１成分濃厚物を２ｌまたは
ｂ）２室ボトルからの２室濃厚物の成分Ａを１ｌそして成分Ｂを１ｌを、
充填し、アンモニアでｐＨ６．０に溶液を調整し、それらを完全に混合することにより濃厚物から調製した。実験はそれぞれ「処理実験法」に記載のとおりに実施した。
【０１６２】
ここでも１成分ＢＸ濃厚物から調製した補給剤タンク溶液で処理すると、印画紙に残留銀が明白に起り、他方驚くべきことには、２室濃厚物から調製されたタンク溶液を使用すると、残留銀は全く認められず、またＢＸ補給溶液を完全に混合するときにもその差は有意であることを認めた。
【実施例８】
【０１６３】
実施例７からの実験ａ）およびｂ）を繰り返したが、補給剤のｐＨ値が５．０に調整されたことだけが異なる。
【０１６４】
次にＡｇｆａ  ＭＳＣ１０１ミニラボを「処理実験法」に記載のとおりに調製した。
【０１６５】
しかし、黒いシートを処理せず、それぞれ、カラー印画紙Ａｇｆａ  タイプ１１の３５０ｍ２が通常の被写体に露出された。
【０１６６】
印画紙の処理中の実行条件をシミュレートするために、高い処理量の１日当り少なくとも５０ｍ２のカラー印画紙を更に処理した。毎日の終わりに、黒いシートの処理による残留銀の発生をＩＲメガネで視覚試験した。結果を表７に示す。
【０１６７】
【表７】
2005206249.tif 000015
【０１６８】
表７が明らかに示すように、紙の残留銀の高い処理量は１成分の漂白−定着浴から調製された補給剤により約４日後に起り、他方、驚くべきことには、２室ボトルから調製された補給剤により全試験期間中残留銀は形成されない。
【実施例９】
【０１６９】
濃厚物を
ａ）１成分の漂白−定着浴および
ｂ）２室の漂白−定着浴
に対して調製した。
ａ）１成分の漂白−定着浴のレシピー
濃厚物１ｌは以下を含んで成る：
チオ硫酸アンモニウム、５８重量％溶液          ３５０ｍｌ
亜硫酸カリウム                                １００ｇ
ＮＨ４Ｆｅ（ＩＩＩ）ＥＤＴＡ、４８重量％溶液  １４０ｇ
コハク酸                                        １０ｇ
ｐＨ        ５．７（ｐＨはＮＨ３またはＨ２ＳＯ４で調整）。
ｂ）２室の漂白−定着浴のレシピー
濃厚物の成分Ａ１リッターは以下を含んで成る：
チオ硫酸アンモニウム５８重量％溶液    ７００ｍｌ
亜硫酸カリウム                        ２００ｇ
ｐＨ    ５．５（ｐＨはＮＨ３またはＨ２ＳＯ４で調整）。
濃厚物成分Ｂ１リッターは以下を含んで成る：
ＮＨ４Ｆｅ（ＩＩＩ）ＥＤＴＡ、４８重量％溶液    ２８０ｇ
コハク酸                                          ２０ｇ
ｐＨ    ６．０（ｐＨはＮＨ３またはＨ２ＳＯ４で調整）
ａ）およびｂ）で調製された濃厚物を４０℃で６週間貯蔵した。ここでは亜硫酸含量を新鮮な状態でそして貯蔵後に分析により決定した。結果は表８に示す。
【０１７０】
【表８】
2005206249.tif 000016
【０１７１】
濃厚物の貯蔵後、２室濃厚物の成分Ａおよび成分Ｂをそれぞれ２×１ｌまたは１成分濃厚物の２ｌを１０リッターに充填することにより濃厚物から補給剤を調製した。次に補給剤を室温で５週間貯蔵した。貯蔵期間中、亜硫酸含量を定期的に測定し、補給剤の硫黄沈殿物を視覚により検査した。
【０１７２】
結果を表９に示す。
【０１７３】
【表９】
2005206249.tif 000017
【０１７４】
表９が示すように、室温で約４週間の待機時間後１成分漂白−定着浴から調製された補給剤により沈殿物が起り、他方２室ボトルから調製された補給剤中には全試験期間中沈殿物を認めない。１成分漂白−定着浴から調製された補給剤中の沈殿物の発生は補給剤ポンプの閉塞およびタンク溶液中の亜硫酸銀沈殿物をもたらし、その結果ミニラボ操作員に生産の喪失を誘起し、ミニラボの湿潤成分の完全な洗浄が必要になる。
【図面の簡単な説明】
【０１７５】
【図１】図１は二室ボトルである多室容器の好ましい態様の正面図である。
【図２】図２は図１の頂部図である。
【図３】図３は図２に従うまっすぐな（線状）連結橋の代わりに非線状連結橋が装備されている場合の多室容器の図面である。
【図１】
2005206249.tif 000018
【図２】
2005206249.tif 000019
【図３】
2005206249.tif 000020